Podtech/llm-jp-corpus-v4-ja_patent huggingface dataset:
(57)【要約】【課題】平坦な市街地で水力発電を行い、消費と生産を接近させることによって多大な利点を集中的に実現させることを目的とした発電用水車であり機械設備である。それは一貫したものであり個別に活用出来るものではない。【解決手段】山岳地帯ではない平坦な市街地で水力発電を行なうとすれば人工的に水を高い場所に揚水することが必要となる。資源を使わずにどのように揚水するかわ、唯一無二の課題である。金融経済にたとえれば、利子の復利計算によって元本を増大させる方法であり、それは機械設備によって付加価値を生み出すことである。今直径１００ｍの水車の頂点に水を注水するために、１００ｍ揚水するための１００のコストが必要である時、水車の半径を地下に造成した枠内に挿入することによって揚水のコストは５０となる、従がって付加価値は５０％である。【選択図】なし【特許請求の範囲】
【請求項１】
平坦な市街地で水力発電を行なう事を目的とした水車。
【請求項２】
水力発電を行なうためには水を高い所に揚水しなければならない、落下させた水を再利用するための循環させるための機械設備。
【発明の詳細な説明】
【技術分野】
【０００１】本発明は、従来人工的に揚水して水力発電に利用する方法は存在しなかったが、本発明はそれも可能にした。
【背景技術】
【０００２】本発明は従来発電所は電力を消費する地帯ときわめて遠距離にあるため様々な経済的損失を発生させているが、生産と消費を接近させることでそれを解決する。
【発明の開示】
【発明が解決しようとする課題】
【０００３】水力発電においては立地條件として、発電所よりも高所に天然の貯水池や、人工ダムが存在するのであるが本発明ではいかにして高所に揚水するか、そのための動力エネルギーを何に求めるかが中心の課題である。
【課題を解決するための手段】
【０００４】今、水車の直径１００ｍとした場合に、その半径の５０ｍを地中に設置した、枠内に挿入する。地表面のグランド・ラインに水車の抽受けを設置する。水車の抽をセツトすことによつて水車が回転して動力が得られる。水車が排水した水を循環させて再利用する場合に本来ならば水車の頂点まで１００ｍ揚水すべきものを５０ｍの揚水ですむ。
【発明の効果】
【０００５】本来水車は頂点で注水した水を１８０度回転した地点である地上で排水するのであるが排水された水を循環させて再利用する場合、仮に水車の直径を１００ｍとした場合１００ｍ揚水すべきものを、水車の半径である５０ｍを地下に造成した枠内に挿入する、水車の中心抽は地上に設置した抽受に置く、それによって揚水に要するコストは５０％カツトすることが出来る。それは付加価値であり無限大である。
【発明を実施するための最良の形態】
【０００６】実質的には引力発電である水力発電を従来の重力や加速などの力学のみならず、水車の頂点で注水された水を荷重と考えて水車の中心抽を支点とし水車の羽根車に貯水された全体の重量を作用点とする支点、作用点の距離をテコの原理として揚水の動力の増大を計る。【０００７】本発明は発電の原動力である水の引力を生み出すための水をより大量により高く揚水することが目的である。そのために水車の頂点で注水された水が外部に漏れることなく活用されるように水車の頂点である注水口から水車が９０度回転した排水口の地表部分までの水車の外部表面を被覆機械によってカバーし曲線の配管状態とする。［図２］にあるように水車が排水する地表との接触する部位には合成ゴムによる合板を配置してシヨツクをやわらげる。
【図１】
2008038888.tif 000002
【図２】
2008038888.tif 000003
【手続補正書】
【提出日】平成18年10月25日(2006.10.25)
【手続補正１】
【補正対象書類名】明細書
【補正対象項目名】全文
【補正方法】変更
【補正の内容】
【発明の詳細な説明】
【技術分野】
【０００１】本発明は従来人工的に揚水して水力発電に利用する方法は存在しなかったが、それを可能にした。
【背景技術】
【０００２】本発明は発電所と消費地帯が遠距離であることで発生する損失を生産と消費の接近によってムダをカットした。
【発明の開示】
【発明が解決しようとする課題】
【０００３】水力発電においては、立地条件として発電所より高所に人工的ダムなどが存在するのであるが、本発明では平坦な市街地で、いかにして高所に貯水するか揚水するならばそのための動力を何に求めるかが課題である。
【課題を解決するための手段】
【０００４】今、水車の直径を１００ｍとした場合に、その半径の５０ｍを地中に設置した型枠内に挿入するとすれば地表面のグランドライン上に水車の中心軸を置く軸受を設置する、水車の軸をセットして水車の頂点に注水すれば水車は１００ｍの高サから落下した計算になる、にもかかわらず水車の頂点まで揚水する高サは５０ｍですむ。
【発明の効果】
【０００５】本来水車は頂点で注水した水を１８０度回転した地上で排水するのであるが排水された水を循環させて再利用する場合、仮に水車の直径を１００ｍとした場合、１００ｍ揚水しなければならないが、水車の半径である５０ｍを地下に造成した型枠内に挿入することによって揚水に要するエネルギーは５０％節約することが出来る、それは付加価値でであり無限である。
【発明を実施するための最良の形態】
【０００６】水車を大型にすることによって単に重力や加速だけでなく水車の中心軸を支点として頂点で注水された水の全重量を作用点とする荷重をテコの原理によって揚水のための動力として活用する、亦水車の頂点で注水された水が漏れないよう水車の外部表面を被覆機材によってカバーする。
【図面の簡単な説明】
【０００７】
【図１】水車全体の斜視図である。
【図２】図１における揚水機の部分の拡大した図である。
【符号の説明】
【０００８】１  水があふれないための防水カバー
２  水車本体
３  排水された水を止めて循環させる水槽
４  水車の地中挿入部分
５  循環水の溝
６  ９と同じく水車の駆動を伝える歯車
７  循環水を貯水して揚水する水槽
８  水車の駆動を伝える回転軸
９  ６と同じく水車の駆動を揚水機に伝える歯車
１０  水車の中心の軸を支える軸受
１１  歯車の回転を支える支柱と回転軸
１２  １１の回転を上の歯車に伝えるチェーン
１３  揚水機のコンベアーの傾斜をやわらげる大型ドラム回転器
１４  水車に注水する水の送水管
１５  コンベアー式揚水機
１６  揚水された水の水槽
１７  全体を支える鉄骨
【０００９】１  水車に揚水した水を送る送水管
２  水車の駆動を伝える揚水機用の延長回転軸
３  水車の駆動を伝える歯車
４  コンベアー式揚水機
５  揚水コンベアの傾斜をやわらげる大型ドラム回転器
６  ３と同じく水車の駆動を伝える歯車
７  水車の中心軸を支える軸受
８  ６の回転を上の歯車に伝えるチェーン
９  排水を循環させるための溝
１０  循環水を貯水して揚水するための水槽
【手続補正２】
【補正対象書類名】図面
【補正対象項目名】全図
【補正方法】変更
【補正の内容】
【図１】
2008038888.tif 000004
【図２】
2008038888.tif 000005
(57)【要約】【課題】液体燃料を使用する内燃機関のシリンダー内水蒸気発生装置。【解決手段】液体燃料を使用する内燃機関のシリンダーに電子制御燃料噴射装置と点火装置の他に電子制御蒸留水噴射装置を設けてなり、シリンダー内で液体燃料を噴射し、点火爆発させ、発生する燃料爆発熱に適量の蒸留水を噴射して水蒸気化させ、液体燃料の爆発エネルギーと水の水蒸気化の膨張エネルギーを合わせてピストンを動かす。  液体燃料の節約になる。【選択図】図１
2008038881.tif 000002
【特許請求の範囲】
【請求項１】
液体燃料を使用する内燃機関のシリンダー（１）に電子制御燃料噴射装置（２）と点火装置（３）、電子制御蒸留水噴射装置（４）を設けてなり、液体燃料に点火し、発生する爆発熱にて適量噴射した蒸留水を水蒸気化し、液体燃料の燃焼爆発エネルギーと水の水蒸気化の膨張エネルギーを合わせてピストン（５）を動かす液体燃料を使用する内燃機関のシリンダーの構造。
【発明の詳細な説明】
【技術の分野】
【０００１】    本発明は、自動車等の液体燃料を使用する内燃機関のシリンダー内に蒸留水を噴射して水蒸気を発生させ動力源の一部とするものである。
【背景技術】
【０００２】    自動車その他液体燃料を使用する内燃機関はシリンダー内にガソリン、軽油などの燃料を噴射し、点火して燃料を爆発させ、気体の膨張をエネルギーとしてピストンを動かして回転運動を与えるものである。
【発明の開示】
【発明が解決しようとする課題】
【０００３】    従来のシリンダーはシリンダーに電子制御燃料噴射装置、点火装置を設け、噴射した燃料に点火して気体の膨張をエネルギーとしてピストンを動かすものである。
本案は電子制御燃料噴射装置、点火装置の他に電子制御蒸留水噴射装置を設けて、液体燃料点火爆発時に適量の蒸留水を噴射して、水蒸気を発生させ、液体燃料の爆発エネルギーに水の膨張エネルギーを加えてピストンを動かし動力とするものである。
【課題を解決するための手段】
【０００４】    液体燃料を使用する内燃機関のシリンダー（１）の頭部に電子制御燃料噴射装置（２）、点火装置（３）、電子制御蒸留水噴射装置（４）を設けてなり、液体燃料に点火し、発生する爆発熱にて適量噴射した蒸留水を水蒸気化し、液体燃料の爆発エネルギーと水の水蒸気化の膨張エネルギーを合わせてピストン（５）を動かすものである。（６）吸気バルブ、（７）排気バルブである。
【発明の効果】
【０００５】    水素を燃料とする水蒸気エンジンが開発されているが、エンジンの構造から根本的研究、開発をしなければならない、又水素供給のためのスタンドの新設、安全のための啓蒙など莫大な費用と時間がかかる。
本案は従来の内燃機関に新しく蒸留水貯留タンクとシリンダーに電子制御蒸留水噴射装置を設けるもので、現在のエンジンの構造を根本的に変更するものではない。従ってエンジン製造法に特別な影響があるものではない。
水蒸気の大きなエネルギーを加えることによりガソリンなどの液体燃料の消エネに貢献できる。
【図面の簡単な説明】
【０００６】
【図１】本発明の縦断面図
【符号の説明】
【０００７】        １  シリンダー
２  電子制御燃料噴射装置
３  点火装置
４  電子制御蒸留水噴射装置
５  ピストン
６  吸気バルブ
７  排気バルブ
【図１】
2008038881.tif 000003
(57)【要約】      （修正有）【課題】現代社会では、省エネルギー対策、エコ対策が要求されている。大気を汚すな、無駄に燃料資源を使うなと言われるなかで、いかに画期的な方法でエネルギーを取り出し発電し電力社会を拡大していくか、現代社会に最も必要とされている。【解決手段】走行する車両が路面に与える重力と圧力を利用して回転動力をつくる装置であり、路面１に数センチつきだした棒状２を、車両が踏むことにより押し下げられる、すばやくバネ３の力で押し上げられる、この上下運動を増幅させ往復運動をつくり５で回転するドラム状４を引っかけるようにして回転させる。長時間円滑に回転させる必要がある。遅い回転であるが力強いので高速回転にすることは可能である。これを発電の動力として利用する。【選択図】図１
2008038887.tif 000002
【特許請求の範囲】
【請求項１】
走行する車両が路面に与える重力と圧力を利用して回転動力をつくる装置
【請求項２】
走行する車両が路面に与える重力と圧力を利用して動力源とする装置
【発明の詳細な説明】
【技術分野】
【０００１】本発明は、回転動力を作り出す装置であり、動力を作り出すエネルギーを何から取り入れるかを考えたものである。
【背景技術】
【０００２】従来、回転動力を作り出す装置には数種のものがある。例えば、現代社会に最も必要とされている発電というものを主に説明すると、どのようにエネルギーを作り出すか、原子力発電、油や石炭を燃焼させる発電、水力発電、風力発電等がある。
【発明の開示】
【発明が解決しょうとする課題】
【０００３】現代社会では、省エネルギー対策、エコ対策が要求されている。大気を汚すな地球温暖化する、無駄に燃料資源を使うなと言われる中で、エネルギーを作り出し電気社会にしていく必要がある。今必要なことは無駄に資源を使わず、画期的な方法の動力で発電をすることが必要とされている。風力発電は風がなくなれば発電出来ない、太陽光発電は雨が降ると発電能力が極端に落ちてしまう、それぞれ短所があるこの発明は車がそこそこ走っていれば、回転能力が落ちることなく発電出来る。
【課題を解決するための手段】
【０００４】路面に数センチつきだした棒状のもの置く、これを車両が踏むことにより下方に力強く押し下げられる、車両が通り過ぎるとバネによりすばやく上方にもとの位置に押し上げられる。車両が次々と来ることにより連続して踏まれつきだした棒状のものは上下運動を繰り返す、この往復運動をてこの利用で増幅させる。上下運動している先端が回転するドラム状の側面を引っかけるようにして回転させる。どちらかの一方向のみを回転として取り込み回転動力とする、また、車両が定期的に来ないので上下運動も止まる時がある、回転するドラム状のものには慣性を利用するおもりをつけ、長時間円滑に回転させる必要がある。比較的遅い回転であるが力強い回転であるため高速回転にすることは可能である。尚、路上に進行方向に数多く設置するこにより力強いより円滑な高速回転が生まれる。
【発明の効果】
【０００５】この装置は限りある燃料、資源を使うことなく全く公害のない、走行している車両の無駄にしている重力を利用して、自然条件に左右されることなくエネルギーを取り出し、回転動力を作り、現在最も必要とされている発電効果得ることができる。
【発明を実施するための最良の形態】
【０００６】車両がすみやかに走行することにより、前記に述べているように簡単な装置で発電機能が生まれる。車両が程々に流れている路面の下に設置すれば良い。例えば信号や標識、また、周りの家庭用電力と、本当に身近に発電供給する事が出来効果的である。
【産業上の利用可能性】
【０００７】現在の電力の需要は著しいものがり、将来、小規模な身近な発電機能として利用価値の高いものである。
【図面の簡単な説明】
【０００８】
【図１】路面の下に設置した、進行方向に向かって横から見た装置の側面図である。
【符号の説明】
【０００９】１  路面
２  車両が踏むこと等により上下する棒状のもの
３  踏み押し下げられた棒状のものをすばやく押し上げるバネ。
４  慣性の法則で滑らかに長時間回転するドラム状のもの。
５  上下幅が拡大されて一方向のみひっかけ回転させるもの。
【図１】
2008038887.tif 000003
【手続補正書】
【提出日】平成19年4月19日(2007.4.19)
【手続補正１】
【補正対象書類名】特許請求の範囲
【補正対象項目名】請求項２
【補正方法】変更
【補正の内容】
【請求項２】
走行する車両等が路面にかける重力による、下方向への圧力を動力源として利用、回転力をつくる装置
【手続補正書】
【提出日】平成19年8月9日(2007.8.9)
【手続補正１】
【補正対象書類名】特許請求の範囲
【補正対象項目名】請求項１
【補正方法】変更
【補正の内容】
【請求項１】
車両等が路面上を移動するとき、路面には重力がかかる、従って下方への圧力が生まれる、この圧力を利用する。路面上に物体を置いておく、車両が路面上を移動してくると、物体は押し下げられ、下方へ移動する作用が働く、車両が通り過ぎると、逆に物体をバネ等の力ですばやく反発するように押し上げる、これを連続して発生させ、物体から連結し上下運動の往復運動を動力源として取り入れることを特徴として、回転動力を作る装置。
【手続補正２】
【補正対象書類名】明細書
【補正対象項目名】０００４
【補正方法】変更
【補正の内容】
【０００４】路面に数センチメートルつきだした棒状のものを置く、これを車両が踏むことにより下方に力強く押し下げられる、車両が通り過ぎるとバネ等の力によりすばやく上方に、もとの位置に押し上げられる。車両が次々と来ることにより連続して踏まれつきだした棒状のものは上下運動を繰り返す、この往復運動をてこの利用で増幅させる。上下運動している先端が回転するドラム状の側面を引っかけるようにして回転させる。どちらかの一方向のみを回転として取り込み回転動力とする、また、車両が定期的に来ない時もあるので上下運動も止まる時がある、回転するドラム状のものには慣性を利用するおもりをつけ、長時間円滑に回転させる必要がある。比較的遅い回転であるが力強い回転であるため高速回転にすることは可能である。尚、路上に進行方向に数多く設置するこにより力強いより円滑な高速回転が生まれる。重力による圧力の利用とするものなので進歩性の面を説明すると、路面上に数センチメートルつきだした棒状のものを置くとしているが、路面から約２から３センチメートル程度つきだした棒状のものと考える。これに乗り上げ、踏みつけて走行することは通常の一般路面より車両が燃料を多く消耗する、マイナスではないかと考えられるが、ここからがマイナスとなるか、ならないかの境目を追求したことが、この考案の特徴である。車両が時速数十キロメートルで走行踏みつけ重力をかけていく状態であり、慣性の法則も考慮すると、車両自体が速度も遅くなることもなく、燃料を多く使うこともなく走行出来る。走行している車両の無駄にしている重力を有効な動力源として活用したものである。
(57)【要約】【課題】重りが落下する力を利用して発電する方法を提供する。【解決手段】重りが落下するときの力を利用して回転軸を回転させ、落下した重りをバネと滑車を利用して最上部まで引き上げ、更に落下させることにより連続して回転軸を回転させることにより発電するものであり、燃料等を消費しない公害のない発電機である。【選択図】図１
2008038878.tif 000002
【特許請求の範囲】
【請求項１】
一定重量の重りが落下する力を利用して、発電機を回転させ、落下した重りを弾力ゴムとバネの反発力を利用して持ち上げ、更に滑車を利用して最上部まで持ち上げて、再度落下する力で連続して発電機を回転させることによる発電方法。
【発明の詳細な説明】
【技術分野】
【０００１】本発明は、物体の落下による力を利用して、発電機を回転させて発電するものである。
【背景技術】
【０００２】従来は、水力・火力・原子力・風力・地熱等の発電方法がある。
【発明の開示】
【発明が解決しようとする課題】
【０００３】従来の発電は、設置費用・資源の消費・安全性および安定的な電力の供給等に関してそれぞれ若干の問題点がある。
【課題を解決するための手段】
【０００４】一定の高さから重りが落下する力を利用して発電機の回転軸をワイヤーにより引っ張ることにより、回転軸を回転させて発電するものであり、落下した重りをバネの反発力を利用して一定の高さまで持ち上げ、更に大滑車と小滑車の力の差を利用して元の高さまで持ち上げた上で再度落下することにより、連続して発電機の回転軸を回転させることによる発電方法である。
【発明の効果】
【０００５】重りの重量・高さの設定およびバネの強弱・滑車の大小等により発電の規模が自由に設定でき、公害のない、燃料の消費等につながらない発電が可能である。
【発明を実施するための最良の形態】
【０００６】  以下、本発明の実施の形態について説明する。
（イ）  第１滑車（５）が重り（９）の力により落下して、右固定滑車（７）を通じて第一ワイヤー（１）を引き上げることにより、回転軸（１２）を回転させて発電させる。
（ロ）  同じように第二滑車（６）が重り（９）の力により落下して左固定滑車（８）を通じて第二ワイヤー（２）を引き上げることにより、回転軸（１２）を回転させて発電させる。
（ハ）  第一滑車（５）が落下する際に、第一連結ワイヤーの大滑車が右固定滑車（７）および左固定滑車を通じて、小滑車との力の差を利用して、第二滑車（６）を最上部まで引き上げる。
（ニ）  第一滑車（５）および重り（９）が最下部に達したときにバネ（１０）および弾力ゴムの反発力により一定の高さまでに引き上げられるときに、最上部にいた第二滑車（６）が落下しはじめ、第二連結ワイヤー（４）の大滑車が、第一滑車（５）の小滑車を上昇させる。
（ホ）  第一滑車（５）および第２滑車（６）が連結ワイヤーを通じて固定滑車を通り、互いの滑車が一定の距離に固定させて、安定的な上下運動をさせる。
（ヘ）  第一滑車および第二滑車の落下により第一ワイヤーおよび第二ワイヤーを引くことにより、連続して回転軸を回転させて発電させるものである。
（ト）  更に、滑車および重りの上昇力を増加させ、発電力を高めるために、図３の第一滑車（５）の傍に第一補助滑車（１８）・重り・バネ・弾力ゴムおよび右補助固定滑車（２０）等を追加して設備することが可能である。
第二滑車（６）の傍に上記と同様に第二補助滑車（１９）・重り・バネ・弾力ゴムおよび左補助固定滑車（２１）を追加して設備することにより、滑車および重りの上昇力が増加することとなる。
【図面の簡単な説明】
【０００７】
【図１】本発明の立面図
【図２】本発明の１部の側面図
【図３】本発明の他の実施例を示す立面図
【図４】本発明の他の実施例を示す１部の側面図
【符号の説明】
【０００８】１    第一ワイヤー
２    第二ワイヤー
３    第一連結ワイヤー
４    第二連結ワイヤー
５    第一滑車
６    第二滑車
７    右固定滑車
８    左固定滑車
９    重り
１０  バネ
１１  弾力ゴム
１２  回転軸
１３  発電機
１４  第一補助ワイヤー
１５  第二補助ワイヤー
１６  第三補助ワイヤー
１７  第四補助ワイヤー
１８  第一補助滑車
１９  第二補助滑車
２０  右補助固定滑車
２１  左補助固定滑車
【図１】
2008038878.tif 000003
【図２】
2008038878.tif 000004
【図３】
2008038878.tif 000005
【図４】
2008038878.tif 000006
(57)【要約】【課題】最近、幼児や子供の痛ましい転落事故が多発しており、各種の対策も講じられているが、体裁の問題やベランダに傷を付けられない事情のところが多く、またフェンス柵や塀状の囲いの種類や長さも異なり、その子供が大きくなれば要らなくなる一時的に設置するものなので、出来るだけ体裁良く、素人でも組み立て解体が容易で、各サイズのベランダに対応、ベランダに傷を付けず、絶対の安全性が保てる、その総ての条件に対応するものがなかった。【解決手段】ベランダのフェンスや囲いにしっかり挟み込んで固定できる体裁の良く短い嵩上げ用フェンスを作製、それを複数個連結組み合わせることにより殆どのタイプのベランダに対応、しかもネジだけで組み立てられるので、素人でも組み立て解体が容易に出来、確実に安全に使用できるようになった。【選択図】  図４
2008038462.tif 000002
【特許請求の範囲】
【請求項１】
ベランダのフェンスの手摺りや囲いの上部と前後の一部分を覆い、フェンスや囲いに固定するための支持部品の一部に結合部を設け、その結合部で固定一体化できる嵩上げ用ベランダ柵を組み合わせたベランダでの幼児等転落防止補助柵。
【請求項２】
その支持部品の前後内部の一方に弾性固形物を設け、他方に板状に弾性固形物を貼り付け、ネジなどにより押し出して傷を付けずに固定できる請求項１のベランダでの幼児等転落防止補助柵。
【請求項３】
その支持部品の前後に複数個穴を開け、ネジなどで固定できる請求項１のベランダでの幼児等転落防止補助柵。
【発明の詳細な説明】
【技術分野】
【０００１】
本発明は幼児、児童等がベランダのフェンスの手摺りや囲いを乗り越えて転落死亡する事故を防止する手段の一つである。とは言えその子供が成長すればいらなくなる物であるので、できれば専門家に依頼せずに取り付けや取り外しができるのが好ましい。更にフェンスや柵に傷をつけることなく体裁良く簡単確実に柵を嵩上げ固定して、容易に乗り越えられない状態にする手段に関するものである。
【背景技術】
【０００２】
マンション暮らしで幼児や子供のいる家庭ではベランダからフェンスや囲いを乗り越えての落下事故が多発しており、その防止策も数々講じられてはいるが、ベランダを傷付けることなく体裁良く確実に、しかも子供が成長し不要になったら簡単に取り外しが可能なものが求められていた。しかし構造や取り付けを簡単にすれば外れたり壊れたりし易くなり、かえって事故の原因を作ることにもなりかねなかった。
【発明の開示】
【発明が解決しようとする課題】
【０００３】
幼児や子供がベランダのフェンスを乗り越えて落下するのを防止する手段の一つとしてフェンスを高くし、乗り越えられないようにしたいと考えた。しかし賃貸マンションだけでなく個人所有のマンションと言えども体裁が悪かったりベランダに傷を付けて高くすることは好ましくなく、中途半端に嵩上げしたのではかえって危険も増え、本格的にすればするほどコストが増す。そこでホームセンターなどでも購入が出来、低価格、素人でも簡単に設置と撤去が出来、体裁も良く、いろいろなサイズにも適応、更に安全性にも完全に対応できるものが求められていた。
【課題を解決するための手段】
【０００４】
ベランダのフェンスなど柵部分の高さはほぼ決まっているので、それを乗り越えられないようにするには同じような体裁の良いフェンス、柵を上に継ぎ足すのが良いと考えた。それにはしっかりとした支えが必要だ。しかも各種ベランダに対応、誰が組み立てても外れてて事故が起こらない構造で、万一部品の一つの保持が弱くなっても他の部分で支えられる構造が良い。組み立て後の体裁が良く、パーツの一つ一つが小さく素人でもネジ回し１本で組み立てられ、子供が成長し、素人が取り外しても傷が残らない構造に心掛けた。
包装を小型化すれば嵩張らず搬送にも便利、専門店だけでなくホームセンターなどでも販売し易くなる様に、フェンスや柵に固定する部分と嵩上げする柵（フェンス）に分けられる構造が望ましい。長さを短くして、長さの異なる２〜３種類のサイズを用意し、その長さや個数を組み合わせ連結させれば大部分のサイズのベランダに対応する。勿論業者用などには一体化したもを販売することも可能である
【発明の効果】
【０００５】
以上を考慮しまとめた結果、どんな長さにも対応でき、組み立て後の体裁が良く、パーツの一つ一つが小さく素人でもネジ回し１本で組み立てられ、しかも各種ベランダに対応、誰が組み立てても、多少ネジが緩んだとしても外れて事故が起こらない構造で、子供が成長し、取り外しても傷が残らないと言う考えていた効果が期待できる構造になった。
【発明を実施するための最良の形態】
【０００６】
最も考えなければならないのは安全面だ。とは言え専門家に依頼しなければ取り付けられなくなっては困る。そこで固定用パーツ（図１、図２）は複数個設け複数箇所で複数ネジで止めるようにした。複数個あれば例え１個のネジが緩んで働かなくなっても心配がない。原則として塀状のような形態の囲いの場合は図１のタイプ、フェンスの場合は図２が良い。勿論図２のネジは柵の空間を通してしっかり止める。図１の場合、ネジの長さは塀の厚さで大きく変わり、ネジが外に出っ張ってしまうとこれが事故の原因になりかねないので、図のようにダミーのネジで仮止めし、寸法に合わせて最短のネジを決め、そのネジで止めるようにした。
嵩上げ用フェンスと支持部品との結合は、体裁と強度、位置決めや外れ難さを総合的に考えて図のようにフェンスの柵に空洞部分に差し込む構造にした。勿論これもネジ止めの必要がある。同様に嵩上げ用フェンス同士の連結もネジでしっかりと固定する。ベランダの寸法がそれぞれ違うので短いサイズの嵩上げ用フェンスも必要で、他にも雨水が入り込まないように使わない穴を塞ぐパーツも必要だ。
【図面の簡単な説明】
【０００７】
【図１】挟み込んで固定するタイプの支持部品、左は斜視図  右は断面図
【図２】ネジを貫通して止めるタイプの支持部品、左は斜視図  右は断面図
【図３】嵩上げ用フェンスの斜視図
【図４】フェンスと支持部品を結合した斜視図
【符号の説明】
【０００８】
１  支持部品の本体
２  嵩上げ用フェンスの柵
３  ２の柵の空洞に差込む凸部
４  傷を付けずに固定する弾性固形物
５  仮止め用ネジ
６  ネジ
７  ベランダの囲い
８  ベランダの手摺りの笠木部分
９  ネジ止め用穴
１０  嵩上げ用フェンス同士をネジ止め結合させる穴
１１  差込み位置
【図１】
2008038462.tif 000003
【図２】
2008038462.tif 000004
【図３】
2008038462.tif 000005
【図４】
2008038462.tif 000006
(57)【要約】【課題】  本発明が解決しようとする問題点は、蝶番の機能をより簡単な構成にし、安価で組立て安い蝶番を提供することにある。特に、開閉する一対の板同士が、その板金を折り曲げて製作したものや、樹脂整形で製作した蝶番の固定側と開閉の扉を構成する場合に有効である。【解決手段】  蝶番の心棒となる棒に１条以上の溝をつけ、周動を自在にする軸受を二つ設け、数ヶ所の割りこみがある同心円形状の軸受で、心棒の溝に割りこみがある同心円形状の内径を挟み、スラスト方向も位置決めを行なうことで課題を解決する。【選択図】    図１
2008038494.tif 000002
【特許請求の範囲】
【請求項１】
一対の直角に曲げられた板同士をお互いに付き合わせて、その付き合わせた部分を支点にして相対的に回動自在ならしめて連結される蝶番構造にあって、心棒となる丸棒の一方に溝を持ち、他端は外形よりも小径に加工され、一方を同心円形状の軸受が一対の板同士の間に配置し、お互いに付き合わせて、他方を数ヶ所の割りこみがある同心円形状の軸受で心棒の溝に噛み合う部分を持つ軸受を一対の板同士の間に配置しに、外側から心棒が挿入されていることを特徴とする蝶番構造。
【請求項２】
一対の直角に曲げられた板同士をお互いに付き合わせて、その付き合わせた部分を支点にして相対的に回動自在ならしめて連結される蝶番方式にあって、心棒となる丸棒の両方に溝を持ち、両方を数ヶ所の割りこみがあり同心円形状の軸受で、心棒の溝に噛み合う部分を持つ軸受を板同士の外側から配置し、更に外側から心棒が挿入したことを特徴とする蝶番構造。
【請求項３】
一対の直角に曲げられた板同士をお互いに付き合わせて、その付き合わせた部分を支点にして相対的に回動自在ならしめて連結される蝶番構造であって、数ヶ所の割りこみがある同心円形状で、板に開けられた穴径より数ヶ所の割りこみ部の大きい軸受で、両側から該軸受を挿入したことを特徴とする蝶番構造。
【発明の詳細な説明】
【技術分野】
【０００１】
本発明は、一対の直角に曲げられた板同士を互いに付き合わせ、その付き合わせた部分を支点にして相対的に回動自在ならしめる蝶番の技術に関するものである。
【背景技術】
【０００２】
直角に曲げられた板同士を連結しその付き合わせ、その付き合わせた部分を支持して相対的に回動自在とした蝶番は、蓋やドアの開閉機構として、いろんな機器に使用されている。
【０００３】
しかし、安価で、組立易く、精度良く、信頼性の高い蝶番は、その用途に最適な構造にすることでは色んな課題を残している。
【特許文献１】特開２００５−０６１０２５号公報
【特許文献２】特開２００５−１１０１８８号公報
【０００４】
近年折りたたみ携帯電話が標準仕様となり、より機能性を追及する要求からその改良が行なわれている。外に機器の一部に開閉し機器内の部品を交換し、機器内の機能を確認する為を目的とするに開閉扉を必要とする場合がある。そんな用途にも蝶番の必要性が発生する。
【発明の開示】
【発明が解決しようとする課題】
【０００５】
本発明が解決しようとする問題点は、蝶番の機能をより簡単な構成にし、安価で組立て安い蝶番を提供することにある。
特に、開閉する一対の板同士が、その板金を折り曲げて製作したものや、樹脂整形で製作した蝶番の固定側と開閉の扉を構成する場合に有効である。
【課題を解決するための手段】
【０００６】
本発明は、蝶番の心棒となる棒に１条の溝をつけ、周動を自在にする軸受を二つ設け、数ヶ所の割りこみがある同心円形状の軸受で、心棒の溝を活用し、スラスト方向も位置決めを行なう。又、一対の直角に曲げられた板同士が剛性がある場合は、数ヶ所の割りこみがある同心円形状の軸受のみを外側から、板同士に挿入する構成することが主要な特徴とする。
【発明の効果】
【０００７】
本発明の効果は、心棒の溝を活用することで、スラスト方向の位置決めを行ない、スラストの動きに規制を加えるべき部品が必要で無くなり、部品が少なくなる事で組立性が向上することに利点がある。
【発明を実施するための最良の形態】
【０００８】
以下、発明を実施するための最良の形態を実施例により説明する。
【実施例１】
【０００９】
図１は、本発明の実施例を表す。実施例の構成を示す図であって、１はブッシュＡ、2はブッシュＢ、３はベースフレーム、４はアーム、そして5は、軸を示す。その全体が開閉機構である。心棒の一方に溝があり、他方は段付き軸となっている。３のベースフレームと４のアームの間に１のブッシュＡと２のブッシュＢを挟み、5の心棒を挿入する。
【００１０】
図２も、本発明の実施例を表す。実施例の構成を示す図であって、１はブッシュＡ、2はブッシュＢ、３はベースフレーム、４はアーム、そして5は、軸を示す。その全体が開閉機構である。心棒の両側に溝があり、ブッシュは１種類で構成し、3のベースフレームの外側から差し込み、その後心棒を挿入する。
ブッシュの材料は、自己潤滑性を有す樹脂であることが望ましい。金属粉末燒結による含油軸受であっても良い。特徴は鍔付きで2条以上のスリットが鍔方向に形成されていることである。このスリットが軸の溝に入りスラストの方向の荷重を受け持つ源となる。
【００１１】
図３は請求項３に記載した場合の実施例で、心棒が無い場合の実施例である。1のブッシュＡは、板に開けられた穴径より、数ヶ所の割りこみを持ち、板の穴径より大きい部分を持つ軸受で、両側から1のブッシュＡを挿入する。但し、心棒がない為、芯が出にくい場合や、３のベースフレームや4のアームの位置が離れている場合や、材料の剛性が無い場合採用が困難である。
【００１２】
図４は従来例を示す。従来の実施例では、6の止め輪が必要であった。スラストの方向の位置決めを行なう止め輪の挿入作業が、組立性の困難さと部品の増加をもたらしていた。
【産業上の利用可能性】
【００１３】
開閉を伴う場所には如何なる場所にも利用可能性がある。自動車、住宅、輸送機等の開閉部分に応用でき、携帯電話等にも利用可能である。
【図面の簡単な説明】
【００１４】
【図１】本発明の実施例を示す。
【図２】本発明の実施例を示す。
【図３】本発明の実施例を示す。
【図４】従来の実施例を示す。
【符号の説明】
【００１５】
１      ブッシュＡ
２      ブッシュＢ
３      ベースフレーム
４      アーム
５      軸
６      止め輪
【図１】
2008038494.tif 000003
【図２】
2008038494.tif 000004
【図３】
2008038494.tif 000005
【図４】
2008038494.tif 000006
(57)【要約】      （修正有）【課題】環境保全機能のあるコンクリートブロックを提供する。【解決手段】本案は、保水性コンクリートによる躯体１、透水性コンクリートによる頭部２、環境保全に効果的な物質による植物着生層３を一体化したコンクリート積みブロックである。これを用いて構築した擁壁は、ブロックの表面から吸収した保持水を外気温や湿度の変化に応じて徐々に蒸発しその気化熱により気温の上昇を抑制する。また着生層は植物の種子や胞子の着生を助け、蒸発による水分補給は植物の発芽や成長に寄与する。【選択図】図１
2008038452.tif 000002
【特許請求の範囲】
【請求項１】
保水性コンクリートの躯体１、透水性コンクリートの頭部２環境保全に効果的な物質による着生層３からなるコンクリートブロック。
【請求項２】
着生層３は粉砕した軽石、貝殻、廃瓦などからなりこれらの物質を単独で用いることも混合して用いることも出来るコンクリートブロック。
【請求項３】
これを製造するにはブロックの形状に適合する型枠を用い、躯体１となる保水性コンクリート、その上に頭部２となる透水性コンクリートを投入し、最後に着生層３となる物質を適量加えて一体的に加圧成型するコンクリートブロック。
【発明の詳細な説明】
【技術分野】
【０００１】
本発明は保水性に優れた躯体と透水性に優れた頭部及び植物の着生や育成に効果的な着生層を一体化したコンクリートブロックである。本発明のコンクリートブロックで構築した擁壁は、外部の水をブロック内へ吸収し、その水分を徐々に蒸発するのでその気化熱により地球温暖化を防止し、ブロック表面の湿潤効果や着生層の働きによって壁面の緑化を促進する。
【背景技術】
【０００２】
保水性コンクリートを単体で用いる保水性コンクリート（参  特許文献１）や透水性コンクリートへ保水材を充填して普通コンクリートと一体化した舗装（参  特許文献２）などは存在したが保水性、透水性、着生や育成などの緑化機能を兼備したコンクリート積みブロックはなかった。
【特許文献１】特許公開２００３−６４６０７号広報
【特許文献２】特許公開２００５−１５４２６５号広報
【発明の開示】
【発明が解決しようとする課題】
【０００３】
従来のコンクリートブロック積み擁壁は気温の影響を受けやすくその表面温度は、夏期は高温、冬季は低温を持続して乾燥し易く壁体内部に空隙がほとんど無かった。そのため壁体表面の緑化が困難で地球温暖化防止など自然環境保全のためには有害であった。本発明は、ブロック内部の空隙へ吸収した水を徐々に蒸発するため気化熱による地球温暖化防止効果がある。ブロック表面の湿潤状態の持続と着生層の効果で植物の着生や生育を容易にして環境を保全する。
【課題を解決するための手段】
【０００４】
本発明は、保水性のあるコンクリートの躯体１に透水性のあるコンクリートを用いた頭部２、その前面に環境保全に効果的な物質による着生層３を用いて一体的に成形した擁壁用コンクリートブロックである。
【発明の効果】
【０００５】
本案のブロックを用いて構築した擁壁は、壁体背面の地盤から発生する湧水をはじめ、降雨や河川の増水時などにブロック表面に接した水を内部の空隙に吸収し続ける。一度吸収した保持水は外部の気温や湿度に応じて徐々に蒸発するためその気化熱によって気温の上昇を抑制する。また蒸発による水分の補給効果により擁壁表面の乾燥を抑制して着生した植物による緑化を促進する。着生層に使用した軽石や廃瓦は表面の凹凸や空隙により植物の種子や胞子の着生を容易にし、貝殻には水質を浄化する効果がある。緑化された法面は植物の働きにより二酸化炭素の吸着や酸素の供給、擁壁表面の温度上昇の抑制など多様な環境保全効果を発揮する。
【発明を実施するための最良の形態】
【０００６】
ブロックの躯体１となる保水性のあるコンクリートを製造するには従来のコンクリート材料であるセメント、砂利、砂、水に株式会社アスト・ジャパン発売のＡＫ−１（商品名）などを適量添加しミキサーで混練する。（参  特許文献１）ブロックの頭部２となる透水性のあるコンクリートには適切な配合のポーラスコンクリートを用いる。着生層３となる環境保全に効果的な物質には貝殻、軽石、廃瓦等を粉砕して用いる。粉砕した貝殻、軽石、廃瓦は単体で使用することも混合して使用することも出来る。
【０００７】
ブロックを製造するには適切な形状と十分な強度を備えた型枠を設置し、躯体となる保水性のあるコンクリートを投入して加震する。その上に頭部となる透水性のあるコンクリートを投入して加震する。さらにその上面に着生層となる環境保全に効果的な物質を均一に散布して全体を均等に加圧した後、従来の即脱コンクリートと同様に脱枠して養生する。養生を終えたブロックを用いてブロック積み擁壁を構築する方法は従来のブロック積み擁壁と同じである。
【産業上の利用可能性】
【０００８】
本発明のブロックは従来のコンクリート積みブロックに環境保全機能を付加したもので、ブロック積み擁壁を構築するための設備や技術は従来のコンクリート積みブロックと同じであり、完成した擁壁の強度や美観は従来のブロック積み擁壁と同等である。
【０００９】
本発明のブロックは従来のコンクリート積みブロックと同様に工場で大量に生産することが可能であり産業上の利用可能性を有する。
【図面の簡単な説明】
【００１０】
【図１】本案を間知ブロックに適用した場合の斜視図である。
【図２】本案のブロックを用いた河川護岸の断面図である。
【符号の説明】
【００１１】
１   保水性コンクリート
２   透水性コンクリート
３   着生層
４   ブロック
５   基礎
６   水位
７   植物
８   河床
９   砂利
１０   栗石
【図１】
2008038452.tif 000003
【図２】
2008038452.tif 000004
(57)【要約】【課題】  粘着巻きテープはテープとテープの間に剥離テープがはさまれている。そのため使用後、使用口が本体から離れて  巻きがくずれて体裁も悪く収納・整理もしずらかった。【解決手段】  粘着テープに剥離テープがはさまれた巻きテープにおいて粘着テープの面積よりも剥離テープの面積が小さいことを特徴とする巻きテープ【選択図】  図１
2008038022.tif 000002
【特許請求の範囲】
【請求項１】
粘着テープに剥離テープがはさまれて巻かれた巻きテープにおいて、粘着テープの面積よりも剥離テープの面積が小さいことを特徴とする巻きテープ
【請求項２】
剥離テープの巾が粘着テープの巾より狭いことを特徴とする請求項１に記載する巻きテープ
【請求項３】
剥離テープの一部に開口部を設けたことを特徴とする請求項１に記載の巻きテープ
【発明の詳細な説明】
【技術分野】
【０００１】
この発明は粘着テープに剥離テープがはさまれて巻かれている巻きテープに関する。
【背景技術】
【０００２】
従来、粘着テープと粘着テープにはさみ込まれている剥離テープは、粘着テープどうしがくっつくことを防止し、スムーズな使用を目的としてつけられているが、この目的のため使用中の使用口は止めることが出来ずバラけた状態で放置されていた。
【発明の開示】
【発明が解決しようとする課題】
【０００３】
解決しようとする問題点は粘着テープと粘着テープの間に剥離テープをはさんだ状態でまき取っているので放置しておくとバラけた状態になってしまう点である。そこで本発明は使用中も巻き取られた状態を保ち・収納・整理もしやすい粘着テープを提供することを課題とする。
【課題を解決するための手段】
【０００４】
本発明は粘着テープに剥離テープがはさまれた巻きテープにおいて、粘着テープの面積よりも剥離テープの面積が小さいことを特徴とする巻きテープである
又、本発明は剥離テープの巾が粘着テープより狭いことを特徴とする巻きテープである
又、本発明は剥離テープの一部に開口部を設けたことを特徴とする巻きテープである
【発明の効果】
【０００５】
粘着テープの面積は剥離テープの面積よりも大きいので粘着テープどうしの一部が接着されて巻きテープのばらけるのを防止する。よって輪ゴムで止めたり、別のテープで端部をはりつけたりする必要がなく整理・収納もしやすくなる。更に剥離テープの巾を粘着テープの巾より狭くした場合は粘着テープの両縁部が接着されるため縁部がめくれないので、  より確実にバラけるのを防止できる。又、剥離テープの一部に開口部を設けた場合は製造がより簡単でコストダウンをはかることが出来る。
【発明を実施するための最良の形態】
【０００６】
実施例について図１を用いて説明する。
図１は、粘着テープ（１）の粘着面に剥離テープ（２）が存在する巻きテープである。
この時、剥離テープ（２）の巾は粘着テープ（１）の巾より少し小さくなっているので粘着テープの縁部の粘着部分（３）により、巻きとられた粘着テープどうしが接着しバラけるのを防止する。
【実施例１】
【０００７】
実施例１について図２を用いて説明する。
図２は  粘着テープ（１）の粘着面に剥離テープ（２）が存在する巻きテープである。
この時、剥離テープ（２）に開口部（４）を設けると粘着テープどうしがこの開口部に生じる粘着面により接着されるので巻きテープがバラけることがない。更に剥離テープの一部に開口部を設けるだけなので製造が簡単である。
【図面の簡単な説明】
【０００８】
【図１】実施例１の巻きテープの説明図である。
【図２】実施例２の巻きテープの説明図である。
【符号の説明】
【０００９】
（１）  粘着テープ
（２）  剥離テープ
（３）  粘着部分
（４）  開口部  粘着部分
【図１】
2008038022.tif 000003
【図２】
2008038022.tif 000004
(57)【要約】【課題】本願発明は、本願発明は、テーブル状の単位部材を連結して貯留空間を構成した雨水貯留施設内を洗浄する方法の提案にある。【解決手段】地下に埋設する貯留槽にあって、底面に傾斜を設け、槽内部に配管を施し、当該配管によって水洗用の水を供給する槽内を洗浄することを可能とした貯留槽であって、槽内に平板と平板に開口する筒状部材からなるテーブル状部材を配設して貯留空間を形成し、当該貯留空間の周囲をシートで覆った貯留槽である槽内を洗浄することを可能とした貯留槽。【選択図】図２
2008038339.tif 000002
【特許請求の範囲】
【請求項１】
地下に埋設する貯留槽にあって、底面に傾斜を設け、槽内部に配管を施し、当該配管によって貯留槽内部に堆積した砂泥を洗い流すための水を供給する、槽内を洗浄することを可能とした貯留槽。
【請求項２】
請求項1記載の貯留槽が、槽内に平板と平板に開口する筒状部材からなるテーブル状部材を配設して貯留空間を形成し、当該貯留空間の周囲をシートで覆った貯留槽である槽内を洗浄することを可能とした貯留槽。
【発明の詳細な説明】
【技術分野】
【０００１】
本発明は、地下に埋設する貯留槽の技術に属する。
【背景技術】
【０００２】
雨水の流出抑制を目的として、プラスチックなどで製造されたテーブル状、容器状あるいはパイプ状部材などの単位部材を地下に配置し、貯留空間を確保して雨水を一時的に貯留する貯留浸透施設が普及している。この目的のために各種の形状の部材が例えば特開昭62-101097、特開昭62-126179、特開平9-296486、特開平11-43971、特開平10-115778などに提案かつ使用されている。いずれの方法も部材を配置しその周囲を透水性もしくは遮水性のシート類で包み、その内部空間に雨水を貯蔵する貯留浸透施設とするものである。
雨水の流出抑制を目的とするためには、地下水位が低い場合は透水性のシートで包み、貯留された雨水を徐々に地下に浸透させ、地下水位が高い場合は地下水が内部に入らないように遮水性のシートで包み雨水を貯留した後、徐々に下水あるいは河川に放流することが行われている。
【０００３】
これら雨水の貯留浸透施設は、屋根雨水のみを貯留する場合は雨水中に含まれる砂泥分は極めて少なく、そのまま貯留空間内に堆積しても、その貯留機能を大きく損なうことはない。しかしながら、U字溝を介して流入する雨水を貯留する場合は雨水中に含まれる砂泥分はきわめて大きい。そのまま貯留空間内に堆積させると貯留空間の容積を減少させ、貯留浸透施設の機能を損なう可能性がある。貯留空間に堆積した砂泥分を除去するため特開2002-129640には貯留空間の基礎部に傾斜を設け、砂泥分を最下層部に集め排出する方法が開示されている。
【０００４】
【特許文献１】特開昭62-101097
【特許文献２】特開昭62-126179
【特許文献３】特開平9-296486
【特許文献４】特開平11-43971
【特許文献５】特開平10-115778
【特許文献６】特開2002-129640
【発明の開示】
【発明が解決しようとする課題】
【０００５】
本願発明は、本願発明は、テーブル状の単位部材を連結して貯留空間を構成した雨水貯留施設内を洗浄する方法の提案にある。
【課題を解決するための手段】
【０００６】
本第1の発明は、地下に埋設する貯留槽にあって、底面に傾斜を設け、槽内部に配管を施し、当該配管によって貯留槽内部に堆積した砂泥を洗い流すための水を供給する、槽内を洗浄することを可能とした貯留槽である。
本第2の発明は、本第1の発明の貯留槽が、槽内に平板と平板に開口する筒状部材からなるテーブル状部材を配設して貯留空間を形成し、当該貯留空間の周囲をシートで覆った貯留槽である槽内を洗浄することを可能とした貯留槽である。
いずれも、槽内に堆積した砂泥を簡単に洗い流すことができるように、槽内に傾斜を設けると共に、槽内部に洗浄用配管を設けた。
【発明の効果】
【０００７】
槽の底面に傾斜を設けると共に、槽内に洗浄用の配管を事前に配設したため、槽内に堆積した砂泥を簡単に除去できる。
【発明を実施するための最良の形態】
【０００８】
以下、本発明を、図を用いて、より詳細に説明する。
図１は、本第1の発明の槽内を洗浄することを可能とした貯留槽の概念を示す断面図である。図に示すように、本槽は底面が中央に設けたＵ字溝あるいはピットに向かって傾斜している。こうすることで槽内に堆積した砂泥は自然に中央に向かって流れるようになっている。さらに槽の両側に配管を設け洗浄用の水を流せるようになっている。配管は有孔配管などが適宜使用される。
槽の両側から洗浄用の水を流すことにより槽内の砂泥はより容易に中央のＵ字溝あるいはピットに集められポンプあるいはＵ字溝ピットにつなげた配管から槽外に排出される。
【０００９】
図２は、本第1の発明の槽内を洗浄することを可能とした貯留槽の概念を示す断面図である。図に示すように、本槽も底面が中央に設けたＵ字溝あるいはピットに向かって傾斜している。貯留槽は、テーブル状部材を配設し、貯留空間を形成し、当該貯留空間の開口部を適宜平板で塞ぎ、遮水シートで覆うことで貯留できるようにしている。槽内に堆積した砂泥の除去は上記と同様である。
いずれも中央に砂泥を集めるようにしてあるが槽の片側あるいは両側に集めるようにしてもなんら支障がない。
【００１０】
テーブル状部材を配設した槽の底面に傾斜を設ける手段は、テーブル状部材を、その平盤面を下にして配設し、モルタルを敷き、こてなどで均しながら傾斜面を形成する。あるいは階段状に傾斜を形成することでもよい。
【００１１】
テーブル状部材は図３に示すように、平盤部に戴円錐形状の筒あるいは梅鉢状の筒を１ないし複数もうけたもので、既存の部材が使用できる。テーブル状部材の材質も熱可塑系プラスチックを射出成形したものあるいはステンレススチール製など水に対して安定な材質で所定の強度を得られるものなら特に材質に制限はない。
【００１２】
図4は、本槽を地下に埋設した状態を模式的に表したものであり、泥だめますあるいは沈砂池、流入管、溢流管、オリフィスなど適宜必要な付帯設備を付加して貯留槽として使用できる。
【図面の簡単な説明】
【００１３】
【図１】は、第1の発明である槽内を洗浄することを可能とした貯留空間の概念図である。
【図２】は、第2の発明である槽内を洗浄することを可能とした貯留空間の概念図である。
【図３】は、テーブル状部材の例を示す。
【図４】は、本発明の貯留浸透施設としての使用例の概念図である。
【００１４】
１  貯留槽
２  テーブル状部材
３  傾斜面
４  Ｕ字溝又はピット
５  洗浄用配管
６  貯留施設
【図１】
2008038339.tif 000003
【図２】
2008038339.tif 000004
【図３】
2008038339.tif 000005
【図４】
2008038339.tif 000006